Podtech/llm-jp-corpus-v4-ja_patent huggingface dataset:
(57)【要約】      （修正有）【課題】燃料は気化しガス化して完全燃焼させて燃料効率のアップと排気ガスをクリーンにする。【解決手段】従来のバーナーの燃焼口円筒先端部分に穴をくり抜いた丸い金板を取り付けて燃焼させるようにした。【選択図】図１
0003117019.tif 000002
【実用新案登録請求の範囲】
【請求項１】
真ん中をくり抜いた金板１にバーナーの燃焼口円筒の先端部分８に取り付ける金具３，４，５を設けた燃焼改善装置
【考案の詳細な説明】
【考案の詳細な説明】
【産業上の利用分野】
【０００１】この考案はバーナーの燃料噴射ノズルと風切板の前に真ん中をくり抜いた丸い金板を取り付けて燃焼させる装置に関する。
【背景技術】
【０００２】従来のバーナーは燃えない燃料が２０％から３０％あり、気化ガスとなって煙突から廃棄され社会問題となっていた。
【考案が解決しようとする課題】
【０００３】バーナーの噴射ノズルから噴射された燃料を気化させガス化させて燃やせば全ての燃料は燃えてしまい未燃焼の燃料が無くなる。
従って燃焼効率がアップすることと、排気ガスもクリーンになる。
【課題を解決するための手段】
【０００４】バーナーの燃焼口先端に真ん中をくりぬいた丸い金板を取り付けると燃料の一部が気化されガス化されるために火力がアップし完全燃焼する。
本考案は、以上の構成よりなる燃焼改善装置である
【考案を実施するための最良の形態】
【０００５】以下、本案の実施の形態について説明する。
バーナーの燃焼口８に本発明の燃焼活性装置９を取り付けると燃料は気化されガス化されるために燃焼効率はアップする。
【実施例】
【０００６】バーナーの燃焼口円筒８の先端に本考案の燃焼活性化装置９を取り付けて燃焼させると噴射ノズルから噴射された霧状の燃料は燃焼活性化装置９を通り抜けて燃えるがそのとき、燃焼活性装置を通過した直後に気化ガス化されて完全燃焼してしまう。
【考案の効果】
【０００７】一般のバーナーは燃えない未燃焼の燃料が２０％から３０％もあるために１メートル離れた部分の空間の温度は２５０℃前後あったが、本発明の燃焼か活性装置を取り付けると燃料は気化されガス化されるために１メートル離れた部分の空間温度は３５０℃前後と燃焼温度がアップした。
【図面の簡単な説明】
【図１】本考案の燃焼化活性装置全体を示す斜視図。
【図２】一般のバーナーに本考案の燃焼活性化装置全体を取り付けたときの斜視図。
【符号の説明】
１  本発明の燃焼化活性装置本体
２  金板をくり抜いた空間の穴
３  バーナーの燃焼口円筒に取り付ける針金
４  バーナーの燃焼口円筒に取り付ける針金
５  バーナーの燃焼口円筒に取り付ける針金
６  噴射ノズル
７  風切板
８  バーナーの燃焼口円筒
９  本発明の燃焼化活性装置
【図１】
0003117019.tif 000003
【図２】
0003117019.tif 000004
(57)【要約】【課題】自転車のハンガ−心棒にカムを取り付け，これによって空気入れの軸をピストン運動させる自転車に常備した空気入れを提供する。【解決手段】ハンガ−心棒（１）にカム（２）を取り付け，車体（３）に取り付けた空気入れ（４）のバネを含む軸（５）をクランクの力を利用してピストン運動させることを特徴とする。空気を入れる必要のないときには空気入れ（４）を後方にスライドさせ】るか空気入れ（４）の後方部を支点にし前方部を少し回転させ，カム（２）と軸（５）の接触面を離す。【選択図】  図１
0003117012.tif 000002
【実用新案登録請求の範囲】
【請求項１】
ハンガ−心棒に取り付けたカムで軸を動かす空気入れ
【考案の詳細な説明】
【技術分野】
【０００１】  この考案は，ハンガ−心棒に取り付けたカムによって車体に設置した空気入れの軸を動かすものに関するものである。
【背景技術】
【０００２】  従来，自転車空気入れは持ち運ばねばならなかった。持ち家ならまだしもマンションだとこれがなかなか大変なことである。携帯用もあるが値段も高く軸をピストン運動させるのも重く，盗難に遭いやすい設置法しかとられていない。本考案の空気入れの場合には常設なので携帯用より盗られにくくできる。廉価で便利ということでどの自転車にもつくようになればベルや発電ランプのようにあまり盗難のことを考えなくてもいいように本考案の空気入れもなる。エア−ハブは内装式変速機に今のところ使えない。しばらく自転車を使わず完全に空気がチュ−ブから抜けてしまった時には暫くガタガタと走らねばならずチュ−ブやタイヤを痛めるという欠点がある。空気入れの必要性は２〜３ケ月に一度だから不便さを感じさせない。最大の理由はエア−ハブに比べ生産単価が比べようもなく安いので少し手足を使っても納得がいく。低廉価の自転車にも付けられ値段の高い自転車の持ち主で空気入れは高いものは必要ないと思っていた人でも廉価な本考案のものならつけるようになる。従って殆どの自転車に付くようになり便利になる。
【考案の開示】
【考案が解決しようとする課題】
【０００３】  この考案は，新しく複雑な機構を設けずとも，自転車の既設のクランク力を利用し，ハンガ−心棒に設けたカムとで軽く空気を入れることのできる常設の安くできる自転車の空気の入れを開発しようとするものである．
【課題を解決するための手段】
【０００４】  いまこれを，図面について説明すれば，左側のクランクに接続したハンガ−心棒（１）にカム（２）を取り付け，車体（３）に取付けた空気入れ（４）の軸（５）を接触させる。軸（５）にはバネをつける。空気入れ（４）には前輪に空気を導くホ−ス（７）と前輪のバルブに噛むクリップ（８）を設ける。同様に後輪の方にもホ−ス（９）とクリップ（１０）を設ける。
【考案の効果】
【０００５】  したがって，左右のペタルを進行方向と逆の方向に踏み込めばクランク（１２）によって大きな力が生じ，その力がハンガ−心棒（１）に取り付けたカム（２）によって空気入れの軸（５）に及び軸（５）を軽くうごかす。常備でしかも軽く空気の入る空気入れである．
【考案を実施するための最良の形態】
【０００６】
【０００４】に示したしたような構成が最良の形態である。
【図面の簡単な説明】
【０００７】
【図１】本考案の斜視図である。
【符号の説明】
【０００８】１はハンガ−心棒          ２はカム          ３は車体
４は空気入れ              ５は軸            ６はバネ
７はホ−ス                ８はクリップ      ９はホ−ス
１０はクリップ
【図１】
0003117012.tif 000003
(57)【要約】      （修正有）【課題】容器の内部液面高を常時容易に計測できる容器内の液面高を目測計測するレベル装置を提供する。【解決手段】表示管内部に流入する液面高を目視するレベル装置であって、容器内の液体が目視できる程度の透明度を有する表示管ａの上下端部に先端が刃物で形成された連通管ｃが取り付けられ、容器ｂに対して装着可能な容器内の液面高ｅを目測計測する。【選択図】図４
0003117017.tif 000002
【実用新案登録請求の範囲】
【請求項１】
表示管の内部に流入する液面高を目視するレベル装置であって、容器内の液体が目視できる程度に透明度を有する表示管の上下端部に先端が刃物で形成された連通管が取り付けられ、容器に対して装着可能な容器内の液面高を目視計測するレベル装置。
【請求項２】
請求項１記載のレベル装置において、前記、連通管の外周にパッキンを設けた容器内の液面高を目視計測するレベル装置。
【考案の詳細な説明】
【技術分野】
【０００１】  本考案は容器内部の液面高を目視により計測するレベル装置に関する。
【背景技術】
【０００２】    従来、外部から見通し難い容器の外部から内部の液面高を計測するには、容器の蓋を開け中を覗き込むか、或いは容器を持って揺すったりして内部液面高を感覚的に把握していた。
【考案の開示】
【考案が解決しようとする課題】
【０００３】    所が、容器の蓋を開け中を覗き込んだり、或いは容器を持って揺すって内部液面高を感覚的に把握しても正確な残量液を計測する事ができなかった。
【課題を解決するための手段】
【０００４】    そこで、本考案は、表示管の内部に流入する液面高を目視するレベル装置であって、容器内の液体が目視できる程度に透明度を有する表示管の上下端部に先端が刃物で形成された連通管が取り付けられ、容器に対して装着可能な容器内の液面高を目視計測するレベル装置を提供する。尚。連通管の外周にパッキンを設けても良い。これにより、上下の連通管を通じて容器内部の液体が表示管へと流入し容器内部の液面高と表示管内の液面高が水平位置に来て静止した時点で容器内面の液面高を表示管により目視することができる。叉、容器と連通管との装着部に生じる漏水をパッキンにより防止する。
【考案の効果】
【０００５】    本考案の目視計測するレベル装置は容器内部の液面高を見るために覗き込んだり、容器を揺すって液量を計測するのではなく、容器外部に装着した表示管により内部液面高を目視できる。叉、容器が紙や厚さの薄いプラスチック等で作られている場合は、連通管の先端が刃物で形成されているので、そのまま挿入して取り付けることが出来る。
容器が厚い紙やアルミ、金属等で出来ている場合は、連通管の当たる場所に穴を開けて挿入すれば良い。
【考案の実施するための最良の形態】
以下、本考案の実施の形態を実施例となる図を参照しながら説明する。図１、図２は本考案のレベル装置を示している。
表示管ａは容器内の液体が目視できる程度の透明度を有するものであり、ガラス、プラスチック、ビニール等の円管や多角形の管を使用出来、表示管ａの直径は１０ｍｍ〜３０ｍｍの範囲であれば良い。次に表示管ａの上下端部に取り付けられる、先端が刃物で形成された連通管ｃは直径が３ｍｍ〜２０ｍｍで長さが２０ｍｍ〜３０ｍｍ程度で管の基部は表示管ａと連通し、先部は鋭角に切断されて刃物を形成している。
叉、連通管ｃの外周部には気密性を持った、軟らかなゴムやプラスチック等からなるパッキンｄが取り付けられており、図３や図４に示す如く、容器ｂの外側から連通管ｃの基部を突き刺して取り付けた時、突き刺した穴の部分から液体の漏れるのを防止する。
本考案のレベル装置を用いると容器内の液体は連通管ｃを通して表示管ａ内に流入し、容器内の液面高ｅと表示管ｃ内の液面高ｅとは同じ高さとなり、容器の液面を容器外から目視する事が出来る。
【図面の簡単な説明】
【０００６】
【図１】    本考案の実施例となるレベル装置の側面図
【図２】    本考案の実施例となるレベル装置の平面図
【図３】    本考案のレベル装置を容器に装着した正面図
【図４】    本考案のレベル装置を容器に装着した側面図
【符号の説明】
【０００７】    ａ・・・・・・・表示管
ｂ・・・・・・・容器
ｃ・・・・・・・連通管
ｄ・・・・・・・パッキン
ｅ・・・・・・・液面高
【図１】
0003117017.tif 000003
【図２】
0003117017.tif 000004
【図３】
0003117017.tif 000005
【図４】
0003117017.tif 000006
(57)【要約】【課題】  本考案は、普段から草花を植栽している植木鉢の土や草花を取り除いて、糞尿を溜められる袋を植木鉢に被せるだけで災害時のトイレとして使用が可能になる。【解決手段】  本考案は、草花を植栽している植木鉢の土や草花を取り除いて、糞尿を溜められる袋を植木鉢の中央に開いた穴に入れ、糞尿を溜められる袋の開いた口を植木鉢の人が座りやすい平らな部分に被せるだけで設置が完了する、尚、植木鉢の人が座りやすい平らな部分へ腰掛ける様に座って用を足すことが出来る。【選択図】    図１
0003117011.tif 000002
【実用新案登録請求の範囲】
【請求項１】
人が座りやすく安定した形状の植木鉢から土や草花を取り除いて糞尿を溜められる袋を植木鉢の中央に開いた穴に入れ、糞尿を溜められる袋の開いた口を人が座りやすい平らな部分に被せられるところを特徴とする、災害時にトイレとして使える植木鉢。
【考案の詳細な説明】
【技術分野】
【０００１】  本考案は、草花の植栽用の植木鉢を災害時にトイレとして使える様に、人が座りやすく安定した形状の植木鉢に関するものである。
【背景技術】
【０００２】  従来の災害時に使用できるトイレは、マンホールの穴を利用したりして糞尿の後処理が非常に困難であり、設置までの時間が掛かり、数に制限が有るため避難生活に不便であった。
【考案の開示】
【考案が解決しようとする課題】
【０００３】  マンホールの穴を利用するトイレの設置やレンタルトイレは設置までの時間や数に問題があった、従って、避難場所の公園や広場に普段から草花を植栽している植木鉢を災害時のトイレとして使用することにより、前述の欠点を解決しようとするものである。
【課題を解決するための手段】
【０００４】  本考案は、避難場所の公園や広場に普段から草花を植栽している植木鉢を災害時のトイレとして使用できる様に、人が座りやすく安定した形状の植木鉢にすることにより、問題点を解決している。
【考案の効果】
【０００５】  上述の様に、本考案の災害時にトイレとして使える植木鉢は、避難場所の公園や広場に普段から草花を植栽している植木鉢の土や草花を取り除いて、糞尿を溜められる袋を植木鉢に被せるだけで設置できる為、避難場所に集まった人々が自分達の力で作ることが可能な災害時のトイレとして役立つ。
【考案を実施するための最良の形態】
【０００６】  災害時の避難場所に指定された公園や広場などに普段から草花を植栽してある植木鉢の土や草花を取り除いて、糞尿を溜められる袋を植木鉢に被せるだけで設置できる為、植木鉢の数を集める時間や設置時間の短縮が図られ、用を足した後の処理は糞尿を溜められる袋を取替えるだけで済むことにより、避難生活が終わった後は草花を植栽して元の植木鉢として使用できることで、いつでも災害に備えた状態を保てる。
【実施例】
【０００７】  以下、添付図面に従って一実施例を説明する。植木鉢本体１に入っている土６や草花７を外して、持ち運びに便利な窪み３に手を添えて場所を移動し、植木鉢の中央に開いた穴４に糞尿を溜められる袋５を入れ、糞尿を溜められる袋５の開いた口を人が座りやすい平らな部分２に被せることで災害時のトイレとして使用できる。
【図面の簡単な説明】
【０００８】
【図１】本考案の災害時のトイレとして使える植木鉢を左横から見た図である。
【図２】上述の〔図１〕を右横から見た図である。
【図３】上述の〔図１〕を上から見た図である。
【図４】上述の〔図１〕に糞尿を溜められる袋を被せた断面図である。
【図５】上述の〔図１〕に草花を植栽した図である。
【符号の説明】
【０００９】１  植木鉢本体
２  人が座りやすい平らな部分
３  持ち運びに便利な窪み
４  植木鉢の中央に開いた穴
５  糞尿を溜められる袋
６  植木鉢本体に入っている土
７  草花
【図１】
0003117011.tif 000003
【図２】
0003117011.tif 000004
【図３】
0003117011.tif 000005
【図４】
0003117011.tif 000006
【図５】
0003117011.tif 000007
(57)【要約】      （修正有）【課題】光源の移動を、前後左右にも可能にし、レイアウト効果を高める。【解決手段】天井カバーのコード出口付近に、回転、及び角度変更の可能なアームを取り付ける。アームは天井カバー１に取り付けるためのベース５と、コード３を支えるためのホルダー部６から成り、回転運動と角度を変える運動ができる。また、アームにはそれぞれの運動を手動で行うための軽さと同時に、状態を維持するための適切なトルクが必要である。素材は金属だけでなく、プラスチックや木材も可能である。【選択図】図２
0003117018.tif 000002
【実用新案登録請求の範囲】
【請求項１】
コードの出口にアームを設けた吊り下げ照明
【考案の詳細な説明】
【技術分野】
【０００１】  本考案は、吊り下げ照明器具に関するものであり、コードの出口にアームを付ける事により、照明の光源の位置を前後左右にも移動する事を、可能にしたものである。
【背景技術】
【０００２】  一つの電源から複数の光源が吊り下げられる吊り下げ照明器具の場合、従来は、天井カバーのコード出口穴からコードが出て、その末端に光源が付いており、コードの長さで光源の位置が決定される。
【考案の開示】
【考案が解決しようとする課題】
【０００３】  しかし、この構造は、コードの長さを調節して、光源を上下方向にのみ変化させる事が出来るだけで、変化に乏しく、インテリア効果が少ない。（図１）
【課題を解決するための手段】
【０００４】  そこで、この天井カバーのコード出口付近に、回転及び角度を変えられるアームを取り付け、光源の位置を上下だけでなく、前後左右にも移動させる事を可能にし、立体的に配置移動する事ができるようになった。（図２）
【考案の効果】
【０００５】  本考案のアームを作動させる事により、光源を広く分散させ部屋全体を明るくしたり（図３）、反対に中央にまとめ、一つの大きな吊り下げ照明として使用するだけでなく（図４）、３個以上光源がある場合、その配列を一列にするなど、レイアウトそのものを変化させ、インテリア効果を高める事ができる。
【考案を実施するための最良の形態】
【０００６】  アームは、図２に示すように、天井カバーに取り付けるためのベースと、コードを支えるためのホルダー部から成り、回転運動と角度を変える運動ができる。また、アームにはそれぞれの運動を手動で行うための軽さと同時に、状態を維持するための適切なトルクが必要である。素材は金属だけでなく、プラスチックや木材も可能である。
【図面の簡単な説明】
【０００７】
【図１】従来の、一つの電源から複数の光源が吊り下げられる吊り下げ照明器具の断面図
【図２】本考案に係る吊り下げ照明器具の、アーム部拡大断面図。
【図３】本考案に係る吊り下げ照明器具の、アームを広げ、光源を広く分散させた状態の断面図。
【図４】本考案に係る吊り下げ照明器具の、光源を集中させ、一つの大きな光源とした状態の断面図。
【符号の説明】
【０００８】１    天井カバー
２    電源
３    コード
４    光源
５    アームベース
６    アームコードホルダー
【図１】
0003117018.tif 000003
【図２】
0003117018.tif 000004
【図３】
0003117018.tif 000005
【図４】
0003117018.tif 000006
(57)【要約】      （修正有）【課題】電気の届かない山の中や畑の中でも自由に作業が出来る、効果は十分、構造は簡単、作成は容易、安価であるボーフラ退治器を提供する。【解決手段】直径８ｃｍの円い丈夫な布性の管を吸水管Ｂとし、直径８ｃｍの円い丈夫な布性の管を出水管Ｃとし、其の端に網ＤをつけたエンジンポンプＡを使用する。ボーフラを含んだ水は吸水管よりポンプにはいり出水管よりポンプの外に出ていく。そして網の所でボーフラは濾過されてのこり水だけ外に出ていき、その網に残されたボーフラは網と共に廃棄されるのである。【選択図】図１
0003117013.tif 000002
【実用新案登録請求の範囲】
【請求項１】
片方の口には給水管をつけ、他方の口には、出口に網を有する出水管をつけたガソリンエンジンポンプのボーフラ退治器
【考案の詳細な説明】
【産業上の利用分野】
【０００１】      環境、衛生に関するものである。
〔従来の技術〕
【０００２】      蚊は元来嫌なものである。刺されると痒いし、又マラリヤ等の伝染病の媒介にもなったりして困るものである。
そこで古来除虫菊や殺虫剤、蚊取り線香等が用いられたり、又扇子や扇風機、網戸等も用いられてきたのである。又幼虫のボーフラには薬剤散布等がおこなわれてきた。又我々が先に工夫してきた水中ポンプや電動ポンプを用いたボーフラ退治器も相当の効果をあげてきた。
〔本考案が解決しようとする課題〕
【０００３】      蚊の幼虫、ボーフラを退治するのに水中ポンプを用いたり、又電動ポンプを利用したりして相当な効果をあげているが、それらの機器の移動や、電気の来ない場所での使用には非常に不便を感じられていたのである。
【課題を解決する為の手段】
【０００４】    そこで電気のないところでの作業が十分できる様に石油エンジンポンプを用いるのである。このエンジンポンプを用いる事によって目的を達する事が出来るのである。即ちこの石油エンジンポンプを車に乗せて、思い通りの場所に移動し、エンジンポンプを作動させるのである。水溜りの所ではエンジンポンプの吸水管の端を水中に置き、出水口の端には網をつけた出水管をしっかり固定する。そしてエンジンポンプを作動させると、水中に含まれたボーフラは水と共にポンプの中に吸い込まれやがてポンプの出水管を通り、網のある所でボーフラだけ濾過されて網の中に残り水は外にでていくのである。
【実施例】
【０００５】    直径８ｃｍの円い丈夫な布性の管を吸水管とし、直径８ｃｍの円い丈夫な布性の管を出水管とし、其の端に網をつけたエンジンポンプを使用する。ポーフラを含んだ水は吸水管よりポンプにはいり出水管よりポンプの外に出ていく。そして網の所でボーフラは濾過されてのこり水だけ外に出ていき、その網に残されたボーフラは網と共に廃棄されるのである。
【考案の効果】
【０００６】    本考案のボーフラ退治器を用いれば電気の届かない山の中や畑の中でも自由に作業が出来る。効果は十分、構造は簡単、作成は容易、安価である。
【図面の簡単な説明】
【０００７】
【図１】斜位図
【図２】正面図
【図３】側面図
【図４】水平面図
【符号の説明】
【０００８】Ａ・・・ガソリンエンジンポンブ
Ｂ・・・吸水管
Ｃ・・・出水管
Ｄ・・・網
Ｅ・・・箱
【図１】
0003117013.tif 000003
【図２】
0003117013.tif 000004
【図３】
0003117013.tif 000005
【図４】
0003117013.tif 000006
(57)【要約】【課題】  本考案は、充電用の電源供給端子を複数設け、各メーカー仕様で作成した充電用ケーブルを使用することにより、異なるメーカーの携帯電話機においても複数同時に充電を可能にする。【解決手段】本考案は、充電用供給電源１と複数の電源供給端子２を設け、各メーカー携帯電話機の多用途接続コネクターに適合し、電源端子に互換を有したコネクタープラグ５と電源供給端子２に互換を有する電源受電端子６を持った充電用ケーブルを使用し、複数の電源供給端子に接続することにより異なるメーカーの携帯電話機においても複数同時に充電を可能にすることを特徴とする。【選択図】  図１
0003117016.tif 000002
【実用新案登録請求の範囲】
【請求項１】
携帯電話機充電の為の、充電用供給電源と複数の電源供給端子を設け、電源供給端子に充電用電圧を供給し、各メーカーの携帯電話機の多用途接続コネクターに適合するコネクタープラグの電源端子に互換を有したコネクタープラグと電源供給端子に互換を有する電源受電端子プラグを持つ充電用ケーブルを各携帯電話機メーカー仕様でおのおの複数作成し、前記充電用ケーブルを電源供給端子と携帯電話機の多用途接続コネクターに接続することにより、異なるメーカーの携帯電話機を複数同時に充電を可能にするところを特徴とする携帯電話充電器。
【請求項２】
各メーカーの携帯電話機の多用途接続コネクターに適合するコネクタープラグの電源端子に互換を有するコネクタープラグと電源供給端子に互換を有する電源受電端子を持つ携帯電話機充電用ケーブル。
【考案の詳細な説明】
【技術分野】
【０００１】  本考案は、携帯電話機の充電を複数同時に可能にする携帯電話充電器に関するものである。
【背景技術】
【０００２】  従来、携帯電話の各機種に対応しうる互換性を確保した携帯電話充電ホルダーは、実開平５−８８１４９、また携帯電話充電器アダプターとして登録実用新案第３０８３７０６号に示されるよう既知であるが、このような従来の携帯電話充電器では、メーカーの異なる機種を複数同時に充電することは不可能であった。また従来の充電器ではＡＣアダプターが使用されており、おのおのにＡＣ１００Ｖ電源が必要であった。
【考案の開示】
【考案が解決しようとする課題】
【０００３】  本考案は、メーカーの異なる携帯電話機においても複数同時に充電を可能にすることを目的とする。
【課題を解決するための手段】
【０００４】  携帯電話機充電の為の充電用供給電源と複数の電源供給端子を設け、複数の電源供給端子に充電用電圧を供給し、各メーカーの携帯電話機の多用途接続コネクターに適合するコネクタープラグの電源端子に互換を有したコネクタープラグと電源供給端子に互換を有する電源受電端子プラグを持つ充電用ケーブルを各携帯電話機メーカー仕様でおのおの複数作成し、前記充電用ケーブルを、電源供給端子と携帯電話機の多用途接続コネクターに接続する。他の電源供給端子にも同様に必要とする充電用ケーブルを用い接続し充電することにより、異なるメーカーの携帯電話機においても複数同時に充電を可能にする。
【考案の効果】
【０００５】  本考案により、異なるメーカーの携帯電話機でも複数同時に充電することが可能になり、遊戯場施設内など多数の人が集まる場所などに設置しておけば非常に便利である。利便性の向上が図れるとともに、供給電圧もＤＣ電源で低圧のため従来に比較し安全性の面でも優れている。
【考案を実施するための最良の形態】
【０００６】  充電用供給電源を設け、そこから複数の電源供給端子に電源を供給し、各携帯電話機メーカー仕様の充電用ケーブルにて電源供給端子と携帯電話機を接続する。同様に必要とする充電用ケーブルを使用し、他の電源供給端子に接続することにより、複数の携帯電話機の充電が同時に可能となる。
【実施例】
【０００７】  以下、図面により本考案の実施例を説明する。図１は全体図で、１は充電用供給電源で３ＡＣコンセントから一次側に電圧が供給され、４の電源ケーブルを通し、２の複数の電源供給端子に充電用電圧が供給される。【０００８】  図２は、各メーカー仕様の充電用ケーブルである。５および５ａ、５ｂは各メーカー携帯電話機の多用途接続コネクターに適合したコネクタープラグの電源端子に互換を有したコネクタープラグ、６は電源供給端子に適合した電源受電端子プラグである。充電したい携帯電話機のメーカーに合った充電用ケーブルを使用し、携帯電話機の多用途接続コネクターと２の電源供給端子を接続することにより充電を可能とする。同様に２の電源供給端子の数だけ同時に充電が可能となる。
【図面の簡単な説明】
【０００８】
【図１】本考案の充電用電源供給実施例の全体図である。
【図２】各メーカー仕様の充電用ケーブルの全体図である。
【符号の説明】
【０００９】１  充電用供給電源
２  電源供給端子
３  ＡＣコンセント
４  電源ケーブル
５  各メーカー携帯電話機多用途接続コネクターに適合し、電源端子に互換を有したコネクタープラグ
６  電源受電端子プラグ
【図１】
0003117016.tif 000003
【図２】
0003117016.tif 000004
(57)【要約】【課題】  今、世界中で環境問題や地球温暖化に対する対策が行われている。使い捨てのレジ袋を現状のまま使い続ける事は、無駄な資源の消費とゴミの増加に繋がる。そこで自分の買い物袋を持つ事が大事だと思い開発する。【解決手段】  生地Ａの両端にファスナーを縫い付ける、生地Ｂの両端にロープとロープの止め具を取り付ける、生地Ａと生地Ｂの重なる箇所（袋縫い付け場所Ａ〜Ｄ）に袋を縫いつける【選択図】  図１
0003117015.tif 000002
【実用新案登録請求の範囲】
【請求項１】
内側に折りたたみの出来る袋を備えた常時携帯できる構造の水筒入れ。
【考案の詳細な説明】
【技術分野】
【０００１】  本考案は、水筒入れの内側にレジ袋にとして使える袋を取り付けたコンパクトに収納できる水筒入れである。
【背景技術】
【０００２】  従来のレジ袋では資源ゴミの増加に繋がる問題がある、又、外からレジ袋の中身が分かりにくいのでテロ対策の妨げになった。
【考案の開示】
【考案が解決しようとする課題】
【０００３】  このままレジ袋を使い続ける事は、地球の環境を維持する為の妨げとなる。
【課題を解決するための手段】
【０００４】  そこで、使い捨てのレジ袋の代替品として、いつでも携帯できるレジ袋を作る為に、内側に袋を備えた腕に巻ける水筒入れを考案した。この買い物袋兼用常時携帯水筒入れを使用すれば、使い捨てのレジ袋が要らなくなる。又、体に身に付けられるので常時携帯できる。
【考案の効果】
【０００５】  １  内側の袋はメッシュの生地を使用しているので、洗濯用ネットとしても使用出来る。
２  メッシュ生地の袋だから中身が外から見えるので、テロ対策や万引き防止に役立つ。
３  水筒入れ本体は丸めると柔らかくて幅広い取っ手になるので、メッシュの袋に多くの荷物を入れても、持つ手の指に食い込まない。
４  ロープを引いて上下を止め具で閉めると、中に水筒やペットボトルなどを入れられるので、冷たいペットボトルに付いた水滴の吸収、又、保冷効果、保温効果がある。
５  コンパクト且つ軽量にしてあるので、バックの中に入れたり、腕に巻き付けて紫外線避けに役立つ、又、ポケットを付けると携帯電話も入れられる。
６  本考案の買い物袋兼用水筒入れを使用することで、レジ袋が不要になるので、資源の無駄を減らせる、又、腕や足に巻けるので手ぶらで買い物に行ける。
【考案の実施するための最良の形態】
【０００６】  重い荷物も腕に掛ける事により、楽に持ち帰れる。
【図面の簡単な説明】
【０００７】
【図１】本考案、買い物袋兼用水筒入れを広げたときの上面図である。
【図２】本考案、買い物袋兼用水筒入れをレジ袋として腕に巻いて使用したときの装着図である。
【図３】本考案、買い物袋兼用水筒入れをレジ袋として手に持ったときの使用図である。
【図４】本考案、買い物袋兼用水筒入れの袋やロープなどを内側に収納して腕に巻いたときの装着図である。
【図５】本考案、買い物袋兼用水筒入れの袋やロープなどを内側に丸めて収納した時の正面図である。
【符号の説明】
【０００８】  １  生地Ａ
２  生地Ｂ
３  ファスナー  オス
４  ファスナー  メス
５  ロープＡ
６  ロープＢ
７  ロープ止め具Ａ
８  ロープ止め具Ｂ
９  袋
１０  袋付け場所Ａ
１１  袋付け場所Ｂ
１２  袋付け場所Ｃ
１３  袋付け場所Ｄ
【図１】
0003117015.tif 000003
【図２】
0003117015.tif 000004
【図３】
0003117015.tif 000005
【図４】
0003117015.tif 000006
【図５】
0003117015.tif 000007
(57)【要約】      （修正有）【課題】１台で左右の席に座している者が、左方向又は右方向に向いて枢支しているテープ輪体からテープを引き出し、切断することができる。【解決手段】全体が基端部２から前方部３にかけて扇形状に開拡して成る本体１の左右両側部に，適当角度に開拡して成る隔壁６を中間部に設けて画室５，５を形成し、このように成る各画室の延長方向に刃台９，９を設け、全体の基端部に対し末広状に成る前方部の体積が大きく成るものである。【選択図】図１
0003117776.tif 000002
【実用新案登録請求の範囲】
【請求項１】
全体が基端部から前方部にかけて扇形状に開拡して成る本体の左右両側部に，適当角度に開拡して成る隔壁を中間部に設けて画室を形成し、このように成る各画室の延長方向に刃台を設け、全体の基端部に対し末広状に成る前方部の体積が大きく成ることを特徴とするテープカッター。
【考案の詳細な説明】
【技術分野】
【０００１】
本考案は、テープカッターに関するもので、使用者の利き手のいかんにかかわらず、テープの引き出しとカットとを円滑に行うようにするものである。
【背景技術】
【０００２】
従来、１台のテープホルダーに複数のテープ輪体をセットし、左右の所望位置のテープを引き出して使用するカッター台としては、次のような考案が公知となっている。
【０００３】
【特許文献１】実開昭５２−４２１８６号公報
【特許文献２】実開昭５５−１６４２５３号公報
【特許文献３】実開昭６１−１７８７４７号公報
【０００４】
しかし、これらに見られるテープカッター台は、並設するテープ引き出し部とカッター部の間隔と方向がいずれも同一であるため、左右に隣接する者が１台を共用する場合には、テープを常にスムースに引き出してこれをカットすることができず、使用者の利便性に欠けるものであった。
【０００５】
特に、従来物は右利きの人に合わせた構造に製作していたため、左利きの人が並設する右側にあるテープ輪体上のテープを引き出すことは困難であった。
【考案の開示】
【考案が解決しようとする課題】
【０００６】
そこで、本考案は、並設するテープ引き出し部とその延長方向にあるテープカッター台の間隔を末広状に構成することによって、左右の席に座している各別人がそれぞれ１台のテープカッターを何の障害もなく安心して確実に共用することができるようにするものを提供することを目的とするものである。
【課題を解決するための手段】
【０００７】
本考案は、全体が基端部から前方部にかけて扇形状に開拡して成る本体の左右両側部に，適当角度に開拡して成る隔壁を中間部に設けて画室を形成し、このように成る各画室の延長方向に刃台を設け、全体の基端部に対し末広状に成る前方部の体積が大きく成るように構成したものである。
【考案の効果】
【０００８】
本考案の本体において左右の画室内に設置するテープ輪体は同一高さに位置していても、テープ輪体の画室とその前方の刃台とは平行状態には設置されていず、扇形の別異方向に設置されているものであるから、切断テープの方向が末広状に拡がっていることにより、隣接する左右の席に座する各人は１台を共用してスムースに作業することができるようになる。
【０００９】
また、器体全体は切断テープを引き出す方向が末広状に成る前方部においてそれぞれ異なり、器体全体の重量は前方部に重く基端部に軽く成るように体積のバランスを考慮した構造に成るから、台全体の安定性はきわめて良好となる。
【００１０】
即ち、全体が基端部から前方部にかけて扇形状に開拡した形態に成ることから、全体の重量は前方部にかかるようになり、刃台を設けた側台部はテープの引張力に十分耐え得る抵抗力を発揮するようになり、全体は動揺することなく安定した状態で使用することができる。
【００１１】
さらに、手指の左右利きのいかんを問わず何人も障害や抵抗もなく、テープ輪体を使用することができるようにしているものであるから、ユニバーサルデザインとしての問題も解決しているといえる。
【考案を実施するための最良の形態】
【００１２】
本器にあっては、左右の画室と刃台とはそれぞれが別異方向に末広状に設置されているものであるから、同一高さ位置にあるテープ輪体であっても、この１台において左右の別人が各自の指先によって簡単にテープ端部を摘んで引き出して切断するようになる。
【００１３】
このように別人がたとえ各自の右手又は左手の指先によってテープを引き出そうとしても、各指先は互いに接触することはなく、それぞれ独自にテープの引き出しと切断の作業をするようになる。
【実施例】
【００１４】
１は全体が基端部２から前方部３にかけて扇形状に開拡した本体で、この本体の外側面部４，４には縦稿凹凸面を形成する。
【００１５】
５，５は扇形状に開拡した前記本体１の左右両側部に形成した画室で、この両画室の中間部には適当角度に開拡した隔壁６を設けている。
【００１６】
７，７は前記各画室５，５の中央部に設置した二分した枢軸で、この枢軸は上下両方向に弾発し得る機能を有し、テープ輪体をそれぞれ着脱自在に枢支する。
【００１７】
８は前記隔壁６の延長方向に末広状に形成した低台部である。
【００１８】
１０，１０は前記各画室５，５の延長方向に形成した側台部で、この側台部から適当距離をおいて適当高さの刃台９，９を設ける。
【図面の簡単な説明】
【００１９】
【図１】全体の斜視図
【図２】全体の平面図
【図３】図２Ａ−Ａ線の断面図
【図４】図２Ｂ−Ｂ線の断面図
【符号の説明】
【００２０】
１                    本体
２                    基端部
３                    前方部
５，５                画室
６                    隔壁
７，７                枢軸
８                    低台部
９，９                刃台
１０，１０            側台部
【図１】
0003117776.tif 000003
【図２】
0003117776.tif 000004
【図３】
0003117776.tif 000005
【図４】
0003117776.tif 000006
(57)【要約】【課題】  低コスト化を図ることができるな単層のデジタルビデオディスクを提供すること。【解決手段】  中央に位置決め孔が形成されると共に、一側に記憶メタルレイヤーが設けられ、厚さが０.６mmであるポリカーボネート樹脂製の基板を有する単層のデジタルビデオディスクであって、前記記憶メタルレイヤーを有する基板の一側に厚さが０.６mmである外フレンジが設けられると共に、位置決め孔の付近に厚さが０.６mmである内フレンジが設けられることを特徴とする。【選択図】  図１
0003117778.tif 000002
【実用新案登録請求の範囲】
【請求項１】
中央に位置決め孔が形成されると共に、一側に記憶メタルレイヤーが設けられ、厚さが０.６mmであるポリカーボネート樹脂製の基板を有する単層のデジタルビデオディスクであって、
前記記憶メタルレイヤーを有する基板の一側に厚さが０.６mmである外フレンジが設けられると共に、
位置決め孔の付近に厚さが０.６mmである内フレンジが設けられることを特徴とする、
単層のデジタルビデオディスク。
【考案の詳細な説明】
【技術分野】
【０００１】
本考案は、特に低コスト化を図ることができる単層のデジタルビデオディスク(ＤＶＤ)に関するものである。
【背景技術】
【０００２】
図２に示すように、従来のＶＣＤ（Video Compact Disk）は、厚さが０.６mmであるポリカーボネート樹脂製の基板（２０）を有し、該基板（２０）の中央に位置決めするための位置決め孔（２１）が形成され、その一側にスパンタング法又は塗布手段により記憶メタルレイヤー（２２）が設けられることにより、レーザ読み取りヘッドにて該記憶メタルレイヤーに記載されるデータを読み取ることができる。
【０００３】
しかし、前記ＶＣＤの記憶容量が最も大きくても８００MB（megabyte）しか有しないので、現在膨大なデータを溢れるソフトウェーアに対して記憶容量の不足という問題を有する。そして、記憶容量は４GB（gigabyte）であるＤＶＤ（Digital Video Disk）が開発された。
【０００４】
図３に示すように、従来のデジタルビデオディスクは、厚さが０.６mmである二枚のポリカーボネート樹脂製の基板（３０）（３１）からなり、各基板（３０）（３１）の中央に位置決めするための位置決め孔（３３）が形成され、該基板（３０）（３１）との間にスパンタング法又は塗布手段により記憶メタルレイヤー（３２）が設けられる。
【考案の開示】
【考案が解決しようとする課題】
【０００５】
しかしながら、前記デジタルビデオディスクは、記憶容量不足の問題は解決できるが、二枚のポリカーボネート樹脂製の基板（３０）（３１）からなることにより、製造コストが高くなるという問題を有する。又、二枚の基板（３０）（３１）を製造するために、二台の製造モールドを必要するため、製造コストが更に高くなってしまう。
【０００６】
そこで、案出されたのが本考案であって、低コスト化を図ることができる単層のデジタルビデオディスクを提供することを目的としている。
【課題を解決するための手段】
【０００７】
本願の請求項１の考案は、中央に位置決め孔が形成されると共に、一側に記憶メタルレイヤーが設けられ、厚さが０.６mmであるポリカーボネート樹脂製の基板を有する単層のデジタルビデオディスクであって、
前記記憶メタルレイヤーを有する基板の一側に厚さが０.６mmである外フレンジが設けられると共に、位置決め孔の付近に厚さが０.６mmである内フレンジが設けられることを特徴とする単層のデジタルビデオディスク、を提供する。
【考案の効果】
【０００８】
本考案は上記の課題を解決するものであり、中央に位置決め孔が形成されると共に、一側に記憶メタルレイヤーが設けられ、厚さが０.６mmであるポリカーボネート樹脂製の基板を有し、該記憶メタルレイヤーを有する基板の一側に厚さが０.６mmである外フレンジが設けられると共に、位置決め孔の付近に厚さが０.６mmである内フレンジが設けられることにより、一枚の基板材を要らないので、製造コストを縮減することができる。
【考案を実施するための最良の形態】
【０００９】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【００１０】
図１は本考案に係る単層のデジタルビデオディスクの断面図である。
【００１１】
図１に示すように、中央に位置決め孔（１１）が形成されると共に、一側に記憶メタルレイヤー（１２）が設けられ、厚さが０.６mmであるポリカーボネート樹脂製の基板（１０）を有する単層のデジタルビデオディスクであって、
前記記憶メタルレイヤー（１２）を有する基板（１０）の一側に厚さが０.６mmである外フレンジ（１３）が設けられると共に、位置決め孔（１１）の付近に厚さが０.６mmである内フレンジ（１４）が設けられる。
【００１２】
本考案に係る単層のデジタルビデオディスクは、厚さが０.６mmである一枚のポリカーボネート樹脂製の基板（１０）に記憶メタルレイヤー（１２）が設けられることにより、従来二枚の基板と異なり、一枚の基板材を要らないので、製造コストを縮減することができる。
【００１３】
又、現在のデジタルビデオディスクの読み取り機械に対して、厚さが０.６mmである外フレンジ（１３）と内フレンジ（１４）が設けられることにより、現在のデジタルビデオディスクの読み取り機械にも使用可能とする。
【００１４】
更に、本考案に係る単層のデジタルビデオディスクは、一枚の単層構造であるので、一台の製造モールドで、デジタルビデオディスクを製造することができる。
【００１５】
本考案は上記の構成を有するので、中央に位置決め孔が形成されると共に、一側に記憶メタルレイヤーが設けられ、厚さが０.６mmであるポリカーボネート樹脂製の基板を有し、該記憶メタルレイヤーを有する基板の一側に厚さが０.６mmである外フレンジが設けられると共に、位置決め孔の付近に厚さが０.６mmである内フレンジが設けられることにより、一枚の基板材を要らないので、製造コストを縮減することができる。
【図面の簡単な説明】
【００１６】
【図１】本考案に係る単層のデジタルビデオディスクの断面図である。
【図２】従来のＶＣＤディスクの断面図である。
【図３】従来のデジタルビデオディスクの断面図である。
【符号の説明】
【００１７】
１０        基板
１１        位置決め孔
１２        記憶メタルレイヤー
１３        外フレンジ
１４        内フレンジ
２０        基板
２１        位置決め孔
２２        記憶メタルレイヤー
３０        基板
３１        基板
３２        記憶メタルレイヤー
３３        位置決め孔
【図１】
0003117778.tif 000003
【図２】
0003117778.tif 000004
【図３】
0003117778.tif 000005
(57)【要約】      （修正有）【課題】健康診断を受ける際に保健所或いはその他の医療機関に提供する採便器に排便した大便の中から少量を採取収納する際、無理なくその採取収納操作が行える大便採用具を提供する。【解決手段】和式便器の両縁あるいは様式便器の便座の両縁間に、便器の水溜部に溜まった水面に届かない程度に弛ませて張設することができる長さに裁断した適当な幅からなる水溶性物質から長尺シートの両端に粘着剤層を配して成ることを特徴とする大便採取用具。【選択図】図３
0003117773.tif 000002
【実用新案登録請求の範囲】
【請求項１】
和式便器の両縁あるいは様式便器の便座の両縁間に、便器の水溜部に溜まった水面に届かない程度に弛ませて張設することができる長さに裁断した適当な幅からなる水溶性物質から長尺シートの両端に粘着剤層を配して成ることを特徴とする大便採取用具。
【考案の詳細な説明】
【技術分野】
【０００１】
保健所或いはその他の医療関係の機関から健康診断のため手渡される採便器に大便の少量を採取して収容するときに用いる大便採取用具に関するものである。
【背景技術】
【０００２】
従来から健康診断を受けるとき、場合によっては保健所や医療関係の機関から採便器を手渡され、これに大便の少量を採取して収納することが要求される。
手渡される採便器には、採便器に大便の中から少量の大便を採取して収納するときの注意事項が記載された説明書が添付されている。
その説明書によれば、排便時に便器の中にトイレットペーパーを敷くとか、便器に腰掛ける際に逆向きに腰掛けるとかの注意事項が記載されているが、採便用の大便を採取するに当たり、便器中に水が溜まっていたときは勿論、湿っていたときや足腰の弱い人などは説明書通りに実行することは困難であることは万人が経験しているところである。
この困難を解決するための手段解決する用具はこれまでに開発されていなかった。
【考案の開示】
【考案が解決しようとする課題】
【０００３】
本考案は、健康診断を受ける際に保健所或いはその他の医療機関に提供する採便器に排便した大便の中から少量を採取収納する際、無理なくその採取収納操作が行える大便採用具を提供しようとするものである。
【課題を解決するための手段】
【０００４】
和式便器の両縁あるいは様式便器の便座の両縁間に、便器の水溜部に溜まった水面に届かない程度に弛ませて張設することができる長さに裁断した適当な幅からなる水溶性物質から長尺シートの両端に粘着剤層を配して成ることを特徴とする大便採取用具。
【考案の効果】
【０００５】
本考案は、上記の如く構成されていることから老若男女を問わず、無理なく採便器に収納する大便を排便時に採取することができ、保健所、その他の医療機関に提供する採便器に大便の少量を収納する作業が行える。
【実施例１】
【０００６】
本考案の大便採取用具５は、図１に示すように水溜まりに水の溜まった便器1の便座2の両側縁に図２、図３に示すように便器1の水溜りに溜まった水に接しない程度に弛ませて掛け渡せる長さをもち、且つ、適当な幅からなる長尺ペーパー４の両側端に図４に示すように粘着剤部分６を設けてなるものである。
【０００７】
本考案は、上記の如く構成されているので、保健所或いはその他の医療関係機関から健康診断のため手渡された採便器（図示しない）に収納する所定量の大便（図示しない）を採取する際、図２、３に示すように、排便に当たって本考案にかかる大便採取用具５を便器1の便座２の両側縁に便器1を横切って便器1に溜まった水３に触れないところまで弛ませた状態で横断させ両側端の粘着剤部分６を便器１の便座２の両側縁に粘着する。その操作後、普通の状態で大便採取用具５上に排便を行う。
【０００８】
大便採取用具5上に排便された大便中から採便器に収納する大便の少量を採取する。
【０００９】
その操作後は、大便採取具５は便器中１の中に捨てる。大便採取用具５の材料は、長尺のペーパーを用いるが、ペーパーに限らず水に溶ける材料を使用することはもちろんである。従って、特別な後始末は必要でない。
【図面の簡単な説明】
【００１０】
【図１】水溜部に水の溜まった状態の便器の平面図
【図２】便器に大便採取用具を装着した状態の平面図
【図３】便器に大便採取用具を装着した状態の断面図
【図４】本考案にかかる大便採取具の断面図
【符号の説明】
【００１１】
１      便器
２      便座
３      水
４      ペーパー
５      大便採取具
６      粘着剤部分
【図１】
0003117773.tif 000003
【図２】
0003117773.tif 000004
【図３】
0003117773.tif 000005
【図４】
0003117773.tif 000006
(57)【要約】      （修正有）【課題】雪を広い滑走平面板に投入でき、斜めに使用時は片側にある縁で転落防止をする雪下ろし樋を提供する。【解決手段】雪下ろし樋の構造材はアルミなど軽量材を使用し、広い滑走平面の片側には、従来より高い縁が設けられている。コの字形板１にしの字形板状の物２を８本、間隔をおいて連結補強板３に適宜固定する。こうして滑走平面板を保持する骨組みを組む。この骨組みの上に滑走平面板４として合成樹脂性波板を取り付ける。平らな側から雪を運び入れて樋に投入するので障害物がなく投げやすい。【選択図】図１
0003117791.tif 000002
【実用新案登録請求の範囲】
【請求項１】
片側に転落防止用の従来より高い縁（ふち）をもうけ、断面がしの字型であること
を特徴とする雪下ろし樋。
【請求項２】
前記縁が取り付けられ、幅の広い滑走平面板を設けたことを特徴とする
請求項１記載の雪下ろし樋。
【考案の詳細な説明】
【技術分野】
【０００１】
この考案は、屋根の雪下ろしに用いる樋の形状に関する。
【背景技術】
【０００２】
従来の雪下ろしに用いる樋の形状は、図３−ｃに示すように、幅の狭い滑走平面
の両側に低い縁が設けられたものである。木製で重くて長い構造である。
【特許文献１】実開昭５８−１３７７２７号公報
【考案の開示】
【考案が解決しようとする課題】
【０００３】
しかしながら、以上の技術によれば、図３ｂに示す雪下ろし道具で大量の雪を投
げこんだり、軟らかくて崩れやすい雪を投げこんだりする時樋から雪が転落して
しまう。転げ落ちた雪で樋がつかえて滑らなくなってしまう。屋根に対し上から下
へ投下するだけではなく、かなり斜めにしても雪を転げ落とさずに投下させたい。
そこで、この考案は、雪を広い滑走平面板に投入でき、斜めに使用時は片側にある
縁で転落防止をする雪下ろし樋を提供することを課題とする。
【課題を解決するための手段】
【０００４】
以上の課題を解決するために、第一考案は、片側に転落防止用の従来より高い縁を設け、
断面がしの型であることを特徴とする雪下ろし樋である。また、第二考案は、前
記縁が取り付けられ、従来より幅が広くて長さが短い滑走平面板を設けたことを
特徴とする雪下ろし樋である。
【考案の効果】
【０００５】
第一考案によれば、屋根が入り組んでいて真下に投下しづらい時は図９に示すように
樋を斜めに傾けて希望の位置に投下できる。また第二考案によれば雪下ろし道具３−ｂを
使用したとき、樋から転げ落ちる雪の量を少なくでき、図８に示すように転げ落ちた雪で
樋がつかえることが少なく投下できる。
【考案を実施するための最良の形態】
【０００６】
この考案の一実施形態を、図１に示す。雪下ろし樋の構造材はアルミなど軽量材を
使用し、広い滑走平面の片側には、従来より高い縁が設けられている。構造は図４、図５
に示すようにコの字形板１、２本にしの字形板状の物８本を間隔をおいて適宜固定する。
こうして滑走平面板を保持する骨組みを組む。円内を拡大したのを図５に示す。
３は連結補強板である。以上の様に組んだ構造材に滑走平面板として合成樹脂性波板４を
取り付ける。平らな側から雪を運び入れて樋に投入するので障害物がなく投げやすい。
【０００７】
「実施形態の効果」
この実施形態によれば、投げ入れる時に障害物がなくしかも広い滑走平面板にスムーズ
に雪を投入し、片側に縁があるため樋から転げ落ちる雪は少ない。
転げ落ちた雪で樋がつかえてしまうことも少ない。屋根が入り組んでいて真下に投下しに
くい時は傾けて希望の位置に投下させる。
【０００８】
「他の実施形態」
図１の実施形態では、しの字形板状の物８枚を使用したが他の実施形態では、図６、
図７に示すような格子状のものでも良い。こうすることによってコの字形板を使用せず
しの字形形状の物と連結補強板だけでも良い、樋の長さのよりしの字形板状の物の本数
を５本にまで減少させたのが図７である
【図面の簡単な説明】
【０００９】
【図１】この発明の一実施形態を示す斜視図である。
【図２】図１の断面図である。
【図３】雪下ろし道具の例である。a スコップ  ｂ  スノーダンプ  ｃ  木製の樋
【図４】図１に示す一実施形態の構造を書いた図である。
【図５】図４の円内を拡大し構造をわかり易くした図である。
【図６】ほかの実施形態を示す斜視図。
【図７】図６から変化した実施形態を示す斜視図。
【図８】通常投下する時の様子。
【図９】屋根の斜め方向に投下する時の使用法。
【符号の説明】
【００１０】
ｓ  差し込み隙間
１  断面がコの字形の板        ２  しの字形状の物
３  連結補強版                  ４  滑走平面板
【図１】
0003117791.tif 000003
【図２】
0003117791.tif 000004
【図３】
0003117791.tif 000005
【図４】
0003117791.tif 000006
【図５】
0003117791.tif 000007
【図６】
0003117791.tif 000008
【図７】
0003117791.tif 000009
【図８】
0003117791.tif 000010
【図９】
0003117791.tif 000011